(57)【要約】【課題】調整機能の多様化を図りながらも、簡素な構造となって軽量で持ち運びに便利で、製造コストの低減化を促して普及・拡販可能な簡易型ゴルフ練習装置１を提供する。【解決手段】スイングの練習時、ロッド６を支持筒部５に対して上下方向に移動させる。摺動棹１２の上下旋回により、ガイドレール１５のスイング面１５Ａを上下方向に傾動させて、設置面ＧＬに対するスイング面１５Ａの傾動角度θを所望に調整することができる。スイング面１５Ａの傾動角度θやガイドレール１５の高さ寸法Ｈを調整可能にするといった調整機能の多様化が図られ、使用者Ｕの体格や練習内容に的確に対応した最適の状態に設定可能となる。【選択図】図１
2015150269.tif 000002
【特許請求の範囲】
【請求項１】
左右の腕部と基軸部とからコ字状に形成されて設置面に設置される基礎部と、
前記基礎部の前記基軸部に立設された単一の支持筒部と、
前記支持筒部に上下方向に沿って伸縮移動可能に挿入された高さ調整用のロッドと、
前記ロッドの先端に上下旋回可能に枢支された短筒部に対して軸方向に沿って摺動可能に挿入され、前方先端に取付部を有する摺動棹と、
上側部が前記取付部に固定されたループ状の軌条であって、ゴルフクラブをスイングする際、クラブシャフトの先端部を前記軌条に沿ってスライドさせるスイング面を形成したガイドレールと、
前記左右の腕部に取り付けれたリンク機構を備え、
前記取付部は、前記ガイドレールの外周裏面に嵌合する状態に固定された半筒状の把持部であり、
前記リンク機構は前記腕部に取り付けられ、前記腕部の長手方向に沿って長尺となる横孔を形成した調整板と、ガイドレールの前記左右の腕部に対応する位置に形成された連結辺と、上端部を前記連結辺に回動可能に連結して下端部を前記横孔に沿ってスライド可能に連結された調整リンクとから成り、前記調整リンクを前記連結辺を中心にして前記横孔に沿ってスライド回動させることにより、前記摺動棹を前記短筒部を中心にして上下旋回させて、前記ガイドレールの前記設置面に対する傾斜角度を大小調整し、
前記連結辺を前記調整リンクから取り外して前記摺動棹を前記短筒部を中心にして前記スイング面が水平面よりも高くなる上方旋回位置に旋回させることにより、前記基礎部が位置する前記設置面にゴルフボールを配してパットあるいはショット打ち可能となるようにしたことを特徴とする簡易型ゴルフ練習装置。
【請求項２】
前記摺動棹は、前記取付部に対して切放し可能に連結されており、前記ガイドレールを前記摺動棹および前記リンク機構に対して交換可能に設けていることを特徴とする請求項１に記載の簡易型ゴルフ練習装置。
【請求項３】
前記ロッドの先端部には、目盛板が取り付けられ、短筒部には、前記ガイドレールの傾斜度合によって前記目盛板の目盛を示す角度を変える指針が取り付けられていることを特徴とする請求項１に記載の簡易型ゴルフ練習装置。
【請求項４】
前記ガイドレールは、周方向に沿って凹陥状の周溝を形成し、前記周溝内に伸縮変位可能な弾性体から成る索条体を配置し、前記索条体の一端は、前記ガイドレールの左端側で前記周溝の内底部に固定され、他端は前記ガイドレールの下端近傍の周溝内で前記クラブシャフトの先端部に着脱可能に装着されるフック部に連結されていることを特徴とする請求項１に記載の簡易型ゴルフ練習装置。
【請求項５】
前記ガイドレールを磁性材製の金属により形成し、前記クラブシャフトの先端部に磁石製の帯体を取着させ、前記ゴルフクラブをスイングする際、前記クラブシャフトの前記帯体を前記ガイドレールに磁気力により吸着させた状態でスイングさせることを特徴とする請求項１に記載の簡易型ゴルフ練習装置。
【請求項６】
前記ゴルフクラブおよび前記クラブシャフトに代わって、先端にパット部を有し、手元部近傍に、前記支持筒部に形成した係部に引掛けて安置するための鉤部を形成した練習用の棒状体を設けたことを特徴とする請求項１に記載の簡易型ゴルフ練習装置。
【発明の詳細な説明】
【技術分野】
【０００１】
本発明は、プレヤーが適切なスイングを習得するために設けた簡易型ゴルフ練習装置に係り、とりわけ簡素な構成でコスト的に有利となるように改良した簡易型ゴルフ練習装置に関する。
【背景技術】
【０００２】
ゴルファーがボールの飛距離を伸ばすには、ゴルフクラブのスイング動作を適切に行うことが大事である。このため、ゴルファーの初期姿勢やスイング時の身体の動きやゴルフクラブのスイング軌跡が重要となる。
これらの点を考慮し、開催競技などで優勝を目指してゴルフに上達するためには、グリーンに出掛ける前にゴルフ練習装置を使って、スイングの練習を繰り返すことが考えられる。ゴルフ練習装置としては、例えば、特許文献１−５に記載されたものが公衆の利用に供されている。
【０００３】
特許文献１のゴルフ練習機では、ガイドレールを支持機構に昇降可能および傾動可能に取り付けている。
これにより、ガイドレールの高さや傾斜角度を任意に調整して所望に変更し、練習者の体格、練習内容に的確に対応した状態に設定することができる。
【０００４】
特許文献２のゴルフ練習装置では、ゴルフクラブのスイング経路に沿ってガイドトラックが左右のサイドボード間に回転調整自在に設けられている。すなわち、練習者の望みに応じてガイドトラックの傾斜角度、高さおよびラックの横断方向に関するクラブシャフトの位置が調整できるようになっている。この調整により、通常の背高範囲に属する練習者の理想スイング経路をシュミレートすることができる。
【０００５】
特許文献３のゴルフ練習装置では、支持部材を用いて、レールをゴルフクラブのスイング軌跡を表すループ形状に保持している。支持部材が直立支柱を備え、レールの高さ調節を可能にするため、直立支柱が上部および下部の伸縮を可能とし、レールを横方向に調節するため、直立支柱の上端部に調節手段を設けている。
【０００６】
特許文献４のゴルフスイングの練習器では、ガイドフレームを円弧状または円環状の第１のガイドフレームと第２のガイドフレームとから構成している。
第１のガイドフレームによりガイドフレームの傾斜角度を調節自在とし、第２のガイドフレームが機能した際、第１のガイドフレームが形成する平面に対して、ガイドフレームを平行に変位させることにより離接方向に位置設定可能にしている。
【０００７】
特許文献５の簡易型ゴルフ練習器では、スイング面の無方向の傾動、ガイドレールの高さ寸法および傾き角度を調整可能にするといった調整機能の多様化が図られ、練習者の体格、練習内容に的確に対応した最適な状態に設定することができる。さらに、簡易型ゴルフ練習装置の不使用時には、ヒンジ部によりガイドレールを上下に折り重ねてコンパクトに収納することができる。
【先行技術文献】
【特許文献】
【０００８】
【特許文献１】特開２００１−１６１８７９号公報
【特許文献２】特表平６−５００２４４号公報
【特許文献３】特開平１−１６０５７８号公報
【特許文献４】特開２００５−２１８７８４号公報
【特許文献５】特許第５３７９３３０号公報
【発明の概要】
【発明が解決しようとする課題】
【０００９】
特許文献１−５のいずれでも、ガイドレール、ガイドトラック、レール、ガイドフレームが設置面に対して上下傾動可能で、左右に傾斜調整できるようになっている。調整機能の多様化により、所望の条件に設定されたスイング面で、練習者の熟練度に応じたスイングが適切に行われる。
しかしながら、いずれのゴルフ練習機や練習装置でも、調整機能の多様化に応じて構造が複雑になり、製造コストの低減化を阻み、ゴルフ愛好者への普及を妨げる虞がある。
【００１０】
本発明は上記事情に鑑みてなされたもので、その目的は、調整機能の多様化を図りながらも、簡素な構造で軽量で、製造コストの低減化を促し、しかも、スイング素振りをその場でショットプレイに移行させることができ、ゴルフ愛好者への普及を広げて拡販可能な簡易型ゴルフ練習装置を提供することにある。
【課題を解決するための手段】
【００１１】
（請求項１について）
基礎部は、設置面に設置されるもので、左右の腕部と基軸部とから成る。基礎部の基軸部には、単一の支持筒部が立設されている。高さ調整用のロッドは、支持筒部に上下方向に沿って伸縮移動可能に挿入されている。ロッドの先端には、短筒部が上下旋回可能に枢支されている。短筒部には、摺動棹が軸方向に沿って摺動可能に挿入されている。摺動棹は前方先端に取付部を有している。ガイドレールは、上側部を取付部に固定したループ状の軌条であって、ゴルフクラブをスイングする際、クラブシャフトの先端部を軌条に沿ってスライドさせるスイング面を形成する。取付部は半筒状の把持部であり、ガイドレールの外周側に嵌合する状態に固定されている。
リンク機構は、左右の腕部に取り付けられている。このリンク機構は、調整板、連結辺および調整リンクから成る。調整板は腕部に取り付けられたもので、腕部の長手方向に沿って長尺となる横孔を形成している。連結辺は、ガイドレールの左右の腕部に対応する位置に形成されている。調整リンクは、上端部を連結辺に回動可能に連結し、下端部を横孔に沿ってスライド可能に連結している。連結辺を中心にして調整リンクを横孔に沿ってスライド回動させることにより、摺動棹を短筒部を中心にして上下旋回させて、設置面に対するガイドレールの傾斜角度を大小調整する。
連結辺を調整リンクから取り外して摺動棹を短筒部を中心にしてスイング面が水平面よりも高くなる上方旋回位置に旋回させることにより、基礎部が位置する設置面にゴルフボールを配してパットあるいはショット打ち可能となるようにしている。
【００１２】
請求項１では、スイングの練習時、高さ調整用のロッドを上下方向に移動させたり、摺動棹を短筒部を中心にして上下方向に旋回させることができる。ロッドの上下移動により、設置面からのガイドレールの高さ寸法を所望に調節することができる。摺動棹の上下旋回により、ガイドレールのスイング面を上下方向に傾動させて、設置面に対するスイング面の傾き角度を所望に調整することができる。また、調整リンクを連結辺から取り外し、この状態で短筒部に対して摺動棹を軸方向に摺動させることにより、ガイドレールのスイング面を前後方向に移動調整することもできる。
【００１３】
この結果、スイング面の高さ寸法および傾動角度を自由調整可能にするといった調整機能の多様化により、練習者の体格や練習内容に的確に対応した最適な状態に設定することができる。しかも、ガイドレールを水平面よりも高い上方旋回位置にセットしておくことにより、設置面でゴルフボールを配してパットあるいはショット打ち可能となる。このため、ガイドレールで練習したてのスイング素振りをその場で直接的にパットやショットの実践に試すことができて合理的な練習・実践のコンビネーションが実現する。このコンビネーションの実現により、意欲的な練習者のスイング技術を短期間で飛躍的に上達させることができる。                          
調整機能の多様化が、単一の支持筒部、ロッド、短筒部、摺動棹、リンク機構およびガイドレールといった少数の構成部品で行うことができる。このため、ゴルフ練習装置の構造が簡素となり、軽量で持ち運びに便利で、製造コストの低減化を促し、ゴルフ愛好者への普及を広げて販売の促進に貢献することができる。
【００１４】
また、請求項１では、取付部は半筒状の把持部となって、ガイドレールの外周側に位置するため、ガイドレールの外周表面では把持部による段差が生じない。これにより、スイング練習時にクラブシャフトの先端部をガイドレールの外側表面に対して一層円滑にスライドさせることができる。
【００１５】
（請求項２について）
摺動棹は、取付部に対して切放し可能に連結されており、ガイドレールを摺動棹およびリンク機構に対して交換可能に設けている。
請求項２では、ガイドレールが交換可能に設けられているので、径寸法の異なる複数種類のガイドレールうち練習目的や練習内容に最も適するものを選択して摺動棹およびリンク機構にセットして取り付けることができる。
【００１６】
（請求項３について）
ロッドの先端部には、目盛板が取り付けられている。短筒部には、ガイドレールの傾斜度合によって目盛板の目盛を示す角度を変える指針が取り付けられている。
請求項３では、スイングの練習時、練習者がガイドレールの傾動角度を数値として具体的に知ることができる。このため、傾動角度の数値化によりスイング技術を定量化することができて、スイング技術の上達に大きく寄与することができる。
【００１７】
（請求項４について）
ガイドレールは、周方向に沿って凹陥状の周溝を形成している。周溝内には、伸縮変位可能な弾性体から成る索条体を配置している。索条体の一端は、ガイドレールの左端側で周溝の内底部に固定されている。索条体の他端は、ガイドレールの下側近傍の周溝内でクラブシャフトの先端部に着脱可能に装着されるフック部に連結されている。
請求項４では、ガイドレールに沿ってゴルフクラブを振る度に、索条体が伸長変位をするため、ゴルフクラブには、伸長変位に基づく弾性抵抗力が負荷として漸増しながら加わる。このため、索条体により使用者のスイング力が鍛練されてスイング動作の上達に寄与する。
【００１８】
（請求項５について）
ガイドレールを磁性材製の金属により形成し、クラブシャフトの先端部に磁石製の帯体を取着させ、ゴルフクラブをスイングする際、クラブシャフトの帯体をガイドレールに磁気力により吸着させた状態でスイングさせている。
請求項５では、クラブシャフトをスイング面に沿ってスイングする際、帯体の磁気力によりクラブシャフトのガイドレールに対する保持力が働く。この保持力は、スイングの状態によって微妙に変動するので、使用者が自分のスイングの癖に気付き易くなり癖を矯正することに役立つ。
【００１９】
（請求項６について）
ゴルフクラブおよびクラブシャフトに代わって、練習用の棒状体を設けている。棒状体は、先端にパット部を有し、手元部近傍に鉤部を形成している。パット部は、ガイドレールを上方旋回位置にしてゴルフボールを打つためのものであり、鉤部は、支持筒部に形成した係部に引掛けておくためのものである。
請求項６における練習用の棒状体は、ゴルフクラブの代わりに使うもので、頻繁に使っても高価なゴルフクラブを消耗させないで済む利点がある。棒状体の不使用時には、支持筒部に形成した係部に鉤部を引掛けて安置することができる。
【図面の簡単な説明】
【００２０】
【図１】簡易型ゴルフ練習装置を練習者とともに示す斜視図である（実施例１）。
【図２】簡易型ゴルフ練習装置の枢支機構を示す詳細図である（実施例１）。
【図３】（ａ）、（ｂ）は簡易型ゴルフ練習装置のリンク機構を示す詳細図である（実施例１）。
【図４】ガイドレールを上方旋回した時の簡易型ゴルフ練習装置を練習者とともに示す斜視図である（実施例１）。
【図５】（ａ）、（ｂ）は簡易型ゴルフ練習装置の要部を示す斜視図（実施例２、３）である。
【図６】（ａ）、（ｂ）は径寸法の異なるガイドレールを示す平面図である（実施例３）。
【図７】枢支機構に設けた目盛板および指針を示す斜視図である（実施例４）。
【図８】（ａ）はガイドレール、周溝、索条体およびゴルフクラブを示す斜視図、（ｂ）は（ａ）のＶ−Ｖ線に沿う横断面図、（ｃ）はゴルフクラブを索条体およびフック部とともに示す斜視図である（実施例５）。
【図９】簡易型ゴルフ練習装置を練習者とともに示す斜視図である（実施例７）。
【発明を実施するための形態】
【００２１】
本発明では、スイングの練習時、ロッドを上下方向に移動させることにより、ガイドレールの高さ寸法を調整し、調整リンクを横孔に沿ってスライド回動してスイング面の傾動角度を調整可能にするといった調整機能の多様化が図られ、練習者の体格、練習内容に的確に対応した最適の状態に設定する構成を有する。
【実施例】
【００２２】
〔実施例１の構成〕
図１ないし図４に基づいて本発明の実施例１について説明する。
本発明に係る簡易型ゴルフ練習装置１は、図１に示すように、左右の腕部２と基軸部３とからコの字状に形成された基礎部４を有し、基礎部４を設置面ＧＬに設置している。基礎部４では、左右の腕部２の離間距離Ｓを後述する使用者Ｕがスイング練習可能な大きさに設定している。
基礎部４の基軸部３には、単一の支持筒部５が立設されている。支持筒部５の下端部は、基軸部３の中央に補助辺３ａを用いて溶接により連結固定されている。支持筒部５には、高さ調整用のロッド６が上下方向に沿って伸縮移動可能に挿入されている。ロッド６は調節後に、図２に示すように、支持筒部５に対してボルト６ａとナット６ｂを用いて所定の高さＨに固定されるようになっている。
【００２３】
ロッド６の先端には、短筒部７が上下旋回可能に枢支された枢支機構７Ａが設けられている。具体的には、図２に示すように、短筒部７から下方に延びた二本の支持辺８がロッド６の先端から延びた二本の接続端辺９を挟んでいる。この状態で、支持辺８と接続端辺９とを蝶ボルト１０と蝶ナット１１により締結している。蝶ボルト１０に対して蝶ナット１１を緩めることで短筒部７が締結から開放されて上下方向に旋回可能になる。
【００２４】
短筒部７には、所定の長さ寸法Ｍを有する筒状の摺動棹１２を軸方向に沿って摺動可能に挿入している。摺動棹１２は、前方先端に取付部としての管部１３を連結するようになっている。管部１３には、直角方向に延出する薄肉の連結筒１４を一体形成している。管部１３は、後述するガイドレール１５の上側部を固定状態に嵌合し、連結筒１４は摺動棹１２の前方先端に切り放し可能に連結されている。連結筒１４に対しては、摺動棹１２の先端部が挿入された状態でボルト１４ａとナット１４ｂにより固定されている（図５参照）。
【００２５】
ガイドレール１５は、例えば外径寸法を１８０ｃｍとするループ状の軌条であって、使用者Ｕが練習者としてゴルフクラブ１６をスイングする際、クラブシャフト１６ａの先端部を軌条に沿ってスライドさせるスイング面１５Ａを形成する。ガイドレール１５は、ポリアミド（ＰＡ）やポリエステルの合成樹脂材あるいはステンレス鋼材などの金属材料から軌条に沿って円環状に形成されている。
スイング練習時、クラブシャフト１６ａの先端部に被せたプラスチック製のパッドＰｅを介してガイドレール１５に摺動させるようにしてもよいが、クラブシャフト１６ａの先端部を直にガイドレール１５に摺動させてもよい。
【００２６】
左右の両腕部２には、図３（ａ）、（ｂ）に示すリンク機構１７が取り付けられている。リンク機構１７は、調整板１８、連結辺１９および調整リンク２０から成る。調整板１８は腕部２に溶接などの接合手段により取り付けられたもので、腕部２の長手方向に沿って長尺となる横孔１８ａを形成している。連結辺１９は、ガイドレール１５の左右の腕部２に対応する位置に形成されている。
調整リンク２０は、蝶ボルト２２と蝶ナット２３を用いて上端部２０ａを連結辺１９に回動可能に連結している。また、調整リンク２０の下端部２０ｂは、蝶ボルト２２ａおよび蝶ナット２３ａにより横孔１８ａに沿ってスライド可能に連結している。。
【００２７】
ガイドレール１５のスイング面１５Ａの傾きを決める際には、蝶ボルト２２、２２ａを緩めた状態で、連結辺１９を中心にして調整リンク２０を横孔１８ａに沿って前後にスライド回動させる。これにより、摺動棹１２を短筒部７を中心にして上下旋回させて、設置面ＧＬに対するガイドレール１５の傾動角度θを大小調整する。
【００２８】
リンク機構１７では、蝶ボルト２２を蝶ナット２３に対して緩めて抜き取ることにより、連結辺１９を調整リンク２０から取り外すことができる。
この時、図４に示すように、摺動棹１２を短筒部７を中心にして上方旋回させて、スイング面１５Ａを水平面１５Ｂよりも高くなる上方旋回位置Ｕｐに設定する。
これにより、基礎部４が位置する設置面ＧＬにゴルフボール２５をティーＴ上に配してパットあるいはショット打ち可能としている。この場合、簡易型ゴルフ練習装置１をゴルフ練習場や野外の広場に設置した時には、パットあるいはショットの支障になるものがなくて好都合である。
【００２９】
〔実施例１の効果〕
実施例１では、スイングの練習時、高さ調整用のロッド６を上下方向に移動させたり、摺動棹１２を短筒部７を中心にして上下方向に旋回させることができる。ロッド６の上下移動により、設置面ＧＬからのガイドレール１５の高さ寸法Ｈを所望に調節することができる。摺動棹１２の上下旋回変位により、ガイドレール１５のスイング面１５Ａを上下方向に傾動させて、設置面ＧＬに対するスイング面１５Ａの傾動角度θを所望に調整することができる。また、調整リンク２０を連結辺１９から取り外し、この状態で短筒部７に対して摺動棹１２を軸方向に摺動させることにより、ガイドレール１５のスイング面１５Ａを前後方向に移動調整することもできる。
【００３０】
この結果、スイング面１５Ａの高さ寸法Ｈおよび傾動角度θを自由調整可能にするといった調整機能の多様化により、練習者の体格や練習内容に的確に対応した最適な状態に設定することができる。しかも、ガイドレール１５を水平面１５Ｂよりも高い上方旋回位置Ｕｐにセットしておくことにより、設置面ＧＬでゴルフボール２５を配してパットあるいはショット打ち可能となる。このため、ガイドレール１５で練習したてのスイング素振りをその場で直接的にパットやショットの実践に試すことができて合理的な練習・実践のコンビネーションが実現する。このコンビネーションの実現により、意欲的な練習者のスイング技術を短期間で飛躍的に上達させることができる。                          
【００３１】
調整機能の多様化が、単一の支持筒部５、ロッド６、短筒部７、摺動棹１２、リンク機構１７およびガイドレール１５といった少数の構成部品で行うことができる。このため、ゴルフ練習装置の構造が簡素となり、軽量で持ち運びに便利で、製造コストの低減化を促し、ゴルフ愛好者への普及を広げて販売の促進に貢献することができる。
【００３２】
〔実施例２の構成〕
図５（ａ）は本発明の実施例２を示す。実施例２では、短筒部７に代わって半筒状の把持部２６を設けている。把持部２６は、ガイドレール１５の外周側に嵌合し、把持部２６をガイドレール１５に対して締付ボルト２７で締結することにより固定されている。
実施例２における把持部２６は半筒状になって、ガイドレール１５の外周側に位置するため、ガイドレール１５の外周表面では把持部２６による段差が生じない。これにより、スイング練習時にクラブシャフト１６ａの先端部をガイドレール１５の外側表面に対して一層円滑にスライドさせることができる。
【００３３】
〔実施例３の構成〕
図５（ｂ）および図６（ａ）、（ｂ）は本発明の実施例３を示す。実施例３では、図５（ｂ）に示すように、摺動棹１２が連結筒１４に対して切放し可能に連結挿入されており、ガイドレール１５を摺動棹１２およびリンク機構１７に対して交換可能に設けている。蝶ボルト２２を蝶ナット２３に対して緩めて抜き取ることにより、連結辺１９を調整リンク２０から取り外す。また、ボルト１４ａをナット１４ｂに対して緩めて抜き取り、摺動棹１２から連結筒１４を引き抜いて切り放す。これにより、ガイドレール１５を摺動棹１２およびリンク機構１７に対して交換可能にセットすることができる。
【００３４】
このように、実施例３ではガイドレール１５を交換可能に設けたので、図６（ａ）、（ｂ）に示す径寸法Ｒ、Ｎ異なる複数種類のガイドレール群１５ｎ、１５ｍうち練習目的や練習内容に最も適するものを選択して摺動棹１２およびリンク機構１７にセットして取り付けることができる。
なお、選択可能な多種類のガイドレール群１５ｎ、１５ｍについては、管部１３、連結筒１４および連結辺１９を有した状態で備えられているものとする。実施例３の交換機能は実施例２にも適用してもよい。
【００３５】
〔実施例４の構成〕
図７は本発明の実施例４を示す。実施例４では、ロッド６の先端部に、円弧状の目盛板３０が取り付けられている。短筒部７の支持辺８には、ガイドレール１５の傾斜度合によって目盛板３０の目盛を示す角度を変える指針３１が取り付けられている。
実施例４では、スイングの練習時、使用者Ｕがガイドレール１５の傾動角度θを数値として具体的に知ることができる。このため、傾動角度θの数値化によりスイング技術を定量化することができて、スイング技術の上達に大きく寄与することができる。
【００３６】
〔実施例５の構成〕
図８は本発明の実施例５を示す。実施例５が実施例１と異なるところは、ガイドレール１５に周溝４０を周方向に設けたことである（図８（ａ）、（ｂ）参照）。
周溝４０は、ガイドレール１５の周方向いっぱいに形成されており、周溝４０内に配置された索条体４１は、ゴム紐や引張コイルスプリングなどの伸縮変位可能な弾性体から形成されている。
すなわち、索条体４１の一端は、ガイドレール１５の左端側において、凹陥状の周溝４０の内底部に固定されている。索条体４１の他端は、ガイドレール１５の下端近傍において、周溝４０内に位置し、クラブシャフト１６ａの先端部に着脱可能に装着されるフック部４２に連結されている（図８（ｃ）参照）。
【００３７】
ガイドレール１５の使用時、使用者はクラブシャフト１６ａの先端部にフック部４２を装着し、クラブシャフト１６ａをガイドレール１５に沿わせて摺動するスイングの練習を始める。
ゴルフクラブ１６を図８（ａ）に矢印Ｙで示す方向に振る度に、索条体４１が伸長変位をするため、ゴルフクラブ１６には、伸長変位に基づく弾性抵抗力が負荷として漸増しながら加わる。このため、索条体４１により使用者のスイング力が鍛練されてスイング動作の上達に寄与する。なお、図８（ｂ）では、ガイドレール１５の断面を矩形で示しているが、この断面は円形、三角形、楕円形、五角形や六角形などの多角形でもよい。
【００３８】
〔実施例６の構成〕
本発明の実施例６は図示はしないが、実施例６が実施例１と異なるところは、クラブシャフト１６ａの先端部に嵌めたプラスチック製のパッドＰｅに代わって、磁石製の帯体（図示せず）を取着させたことである。
この場合、ガイドレール１５を磁性材製の金属により形成しており、ゴルフクラブ１５をスイングする際、クラブシャフト１６ａの帯体をガイドレール１５に磁気力により吸着させた状態でスライドさせることになる。
すなわち、クラブシャフト１６ａをスイング面１５Ａに沿ってスイングする際、帯体の磁気力によりクラブシャフト１６ａのガイドレール１５に対する保持力が働く。この保持力は、スイングの状態によって微妙に変動するので、使用者Ｕが自分のスイングの癖に気付き易くなり癖を矯正することに役立つ。
【００３９】
〔実施例７の構成〕
図９は本発明の実施例７を示す。実施例７が実施例１と異なるところは、ゴルフクラブ１６およびクラブシャフト１６ａに代わって、練習用の棒状体６０を設けたことである。  棒状体６０は、先端にパット部６０ｂを有し、手元部近傍に鉤部６０ａを形成している。パット部６０ｂは、図４に示す上方旋回位置Ｕｐでゴルフボール２５を打つためのものであり、鉤部６０ａは、支持筒部５に形成した係部６２に引掛けておくためのものである。練習用の棒状体６０は、ゴルフクラブ１６の代わりに使うもので、頻繁に使っても高価なゴルフクラブを消耗させないで済む利点がある。棒状体６０の不使用時には、支持筒部５に形成した係部６２に鉤部６０ａを引掛けて安置することができる。
なお、棒状体６０をステンレススチールなどの金属で形成した場合、外周面を合成樹脂の薄膜でコーティングしてもよい。
【００４０】
〔変形例〕
（ａ）実施例１では、ガイドレール１５を合成樹脂材としてポリアミド（ＰＡ）やポリエステルにより形成したが、合成樹脂としては、ポリイミド、ポリアミドイミド、ポリアセタール、ポリカーボネート（ＰＣ）、ポリフェニレンエーテル（ＰＰＥ）、ポリブチレンテレフタレート（ＰＢＴ）、ポリエチレンテレフタレート（ＰＥＴ）、ポリエチレン（ＰＥ）、ポリテトラフルオロエチレン（ＰＴＦＥ）あるいはシンジオタクチックポリスチレン（ＳＰＳ）などのプラスチック材料を用いてもよい。
【００４１】
（ｂ）実施例１では、ガイドレール１５を金属としては、ステンレス鋼材により形成したが、金、銀、銅、鉄、真鍮、ジュラルミン、アルミニウムあるいはニッケル合金などの金属材料でもよく、もしくはガイドレール１５を軽量の木材から形成してもよい。
（ｃ）簡易型ゴルフ練習装置１の設置場所としては、専用トレーニング場、ゴルフ場やスポーツ施設を始め、一般の庭付き住宅やオフィス街の建物の屋上でもよく、要はゴルフクラブ１６をスイング面１５Ａに沿ってスイング練習可能な場所であればよい。
【産業上の利用可能性】
【００４２】
本発明に係る簡易型ゴルフ練習装置では、スイングの練習時、ロッドを上下方向に移動させることなどにより、ガイドレールの高さ寸法やスイング面の傾動角度を調整可能にするといった調整機能の多様化が図られ、練習者の体格や練習内容に的確に対応することができる。これらの有用性に着目した関連事業からの需要が喚起されるため、関連部品の流通を介して機械産業に適用可能である。
【符号の説明】
【００４３】
１        簡易型ゴルフ練習装置
２        腕部
３        基軸部
４        基礎部
５        支持筒部
７        短筒部
１２      摺動棹
１３      管部（取付部）
１５      ガイドレール
１５Ａ    スイング面
１５Ｂ    水平面
１６      ゴルフクラブ
１６ａ    クラブシャフト
１７      リンク機構
１８      調整板
１９      連結辺
２０      調整リンク
２５      ゴルフボール
２６      把持部（取付部）
３０      目盛板
３１      指針
４０      周溝
４１      索条体
４２      フック部              
６０      棒状体
６０ａ    鉤部
６０ｂ    パット部
６２      係部
Ｕｐ      上方旋回位置
ＧＬ      簡易型ゴルフ練習装置の設置面
Ｈ        ガイドレールの高さ寸法
θ        スイング面の傾動角度
Ｒ、Ｎ    ガイドレールの径寸法
Ｕ        使用者（練習者）
Ｔ        ティー
【図１】
2015150269.tif 000003
【図２】
2015150269.tif 000004
【図３】
2015150269.tif 000005
【図４】
2015150269.tif 000006
【図５】
2015150269.tif 000007
【図６】
2015150269.tif 000008
【図７】
2015150269.tif 000009
【図８】
2015150269.tif 000010
【図９】
2015150269.tif 000011